(57)【要約】【課題】本発明が解決しようとする課題は、ＲＦＩＤ読取装置の組み立てや解体の際に、組立性や解体性の低下を防止可能なＲＦＩＤ読取装置を提供することである。【解決手段】実施形態のＲＦＩＤ読取装置は、開口された入口と出口とを備え内部を通過可能な筐体と、前記筐体の内部に設けられ、電波を放射するとともに、前記筐体内を通過する無線タグの情報を受信するアンテナと、を備えたＲＦＩＤ読取装置であって、前記筐体は、組立解体可能な枠体と前記枠体を覆う壁面とを有し、前記壁面の全部または一部は、前記枠体に磁力によって着脱可能に取り付けられ、前記放射された電波の前記筐体から外部への漏れを防止する電波遮蔽体で構成される。【選択図】図３
2020064569.tif 000002
【特許請求の範囲】
【請求項１】
開口された入口と出口とを備え内部を通過可能な筐体と、
前記筐体の内部に設けられ、電波を放射するとともに、前記筐体内を通過する無線タグの情報を受信するアンテナと、
を備えたＲＦＩＤ読取装置であって、
前記筐体は、組立解体可能な枠体と前記枠体を覆う壁面とを有し、前記壁面の全部または一部は、前記枠体に磁石の吸着力によって着脱可能に取り付けられ、前記放射された電波の前記筐体から外部への漏れを防止する電波遮蔽体で構成される、
ことを特徴としたＲＦＩＤ読取装置。
【請求項２】
前記電波遮蔽体は電波を吸収する電波吸収体で形成される、
ことを特徴とした請求項１に記載のＲＦＩＤ読取装置。
【請求項３】
前記筐体の下部にキャスター部、をさらに備え、
前記キャスター部は、前記筐体に対して下方に出没可能であって、
前記キャスター部が前記筐体から下方に突出している場合には前記筐体を上方に浮かして前記ＲＦＩＤ読取装置は移動可能であり、前記キャスター部が前記筐体に収納されている場合には前記筐体は床面と接していて前記ＲＦＩＤ読取装置は移動不可であるとともに、前記アンテナから放射された電波が、前記筐体の下部と前記床面との隙間から外部に漏れることを防止する、
ことを特徴とした請求項１または２に記載のＲＦＩＤ読取装置。
【請求項４】
前記筐体は、前記枠体に取り付けられた前記筐体の外壁面を構成する平面状のパネルをさらに備え、前記パネルは前記壁面の外側に取り付けられる、
ことを特徴とした請求項１乃至３のいずれか一に記載のＲＦＩＤ読取装置。
【請求項５】
前記入口と出口付近に、前記入口側および前記出口側に向けて突出した前記電波遮蔽体で構成された突出部を備え、
前記入口と出口付近に備えられた前記電波遮蔽体は、電波吸収率が高い電波吸収体である、
ことを特徴とした請求項１に記載のＲＦＩＤ読取装置。
【発明の詳細な説明】
【技術分野】
【０００１】
本発明の実施形態は、ＲＦＩＤ（radio  frequency  identifier）読取装置に関する。
【背景技術】
【０００２】
従来から、商品等の物品を収納する倉庫において、例えば倉庫から出荷する物品や倉庫に収納する物品を検品するために、物品に無線タグを貼付し、無線タグから発せられる電波を受信して、無線タグが貼付された物品の情報を取得するＲＦＩＤ読取装置が存在する。
【０００３】
また最近は、読取用のアンテナを内部に有するトンネル部を備えたＲＦＩＤ読取装置が存在する。このようなＲＦＩＤ読取装置は、トンネル部の入口と出口を有し、人が物品の入ったカート、移動可能な台、カゴ、段ボール等（以降代表して「カート」という）とともにトンネル部の入口から入り出口から出る。その間に、当該トンネル部内において、当該カートに入れられた物品に付された無線タグから電波を受信する。このような装置は大がかりであるが、カートから物品を出さずに、一度に無線タグから電波を受信して検品を行えるメリットがある。
【０００４】
ところで、このような構成のＲＦＩＤ読取装置は、人およびカートが内部を通過できる程度の大きなサイズのＲＦＩＤ読取装置が必要となる。そのため、このようなＲＦＩＤ読取装置は、完成品を外部から持ち込むことは困難な場合が多く、倉庫内で組み立てて完成させるものが多い。そしてこのようなＲＦＩＤ読取装置は、アンテナから発信した電波が外部に漏れだすことを防ぐために、ＲＦＩＤ読取装置を構成する筐体は、電波を吸収するための電波吸収体で構成された壁面や天井（以降代表して「壁面」という）を有する。そのため、ＲＦＩＤ読取装置を倉庫内で組み立てる際に電波吸収体を壁面として取り付ける。この電波吸収体の取り付けは両面テープ等の接着部材を使用して筐体の骨組みとなる枠体に取り付けていたため、ＲＦＩＤ読取装置の組み立てる際の組立性やＲＦＩＤ読取装置の解体の際の解体性を低下させていた。
【発明の概要】
【発明が解決しようとする課題】
【０００５】
本発明が解決しようとする課題は、ＲＦＩＤ読取装置の組み立てや解体の際に、組立性や解体性の低下を防止可能なＲＦＩＤ読取装置を提供することである。
【課題を解決するための手段】
【０００６】
実施形態のＲＦＩＤ読取装置は、開口された入口と出口とを備え内部を通過可能な筐体と、前記筐体の内部に設けられ、電波を放射するとともに、前記筐体内を通過する無線タグの情報を受信するアンテナと、を備えたＲＦＩＤ読取装置であって、前記筐体は、組立解体可能な枠体と前記枠体を覆う壁面とを有し、前記壁面の全部または一部は、前記枠体に磁力によって着脱可能に取り付けられ、前記放射された電波の前記筐体から外部への漏れを防止する電波遮蔽体で構成される。
【図面の簡単な説明】
【０００７】
【図１】図１は、実施形態に係るＲＦＩＤ読取装置の外観構成を示す斜視図である。
【図２】図２は、図１に示したＲＦＩＤ読取装置の一部を切り欠いた図である。
【図３】図３は、図１に示したＲＦＩＤ読取装置の一部を切り欠いた別の図であって、壁面１１の枠体１２への取り付けを示す図である。
【図４】図４は、図１に示したＲＦＩＤ読取装置において、アンテナから発信した電波についての説明図である。
【図５】図５は、図１に示したＲＦＩＤ読取装置の内部を入口側または出口側から見た模式図である。
【図６】図６は、図１に示したＲＦＩＤ読取装置において、キャスターを突出させた拡大図である。
【図７】図７は、図１に示したＲＦＩＤ読取装置において、キャスターを収納させた拡大図である。
【図８】図８は、キャスターの出没の構成を示す図である。
【発明を実施するための形態】
【０００８】
以下、図１〜図８を参照して、実施形態に係るＲＦＩＤ読取装置について詳細に説明する。なお、以下に説明する実施形態によりこの発明が限定されるものではない。
【０００９】
図１は、実施形態に係るＲＦＩＤ読取装置の外観構成を示す斜視図である。ＲＦＩＤ読取装置１は、物品（実施形態では例えば商品）の出荷する倉庫に設置される。倉庫内に収納されている物品には、無線タグが貼付されている。無線タグとは、アンテナと記憶部を有し、後述するアンテナ１３から放射された電波をアンテナが受信すると電力が発生し、発生した電力によって記憶部に記憶されている情報（実施形態では物品を特定する情報）をアンテナ１３に向けて発信するタグである。無線タグは、粘着面を有し、粘着力で物品に貼付される。なお、無線タグは物品にバンド等で取り付けられていてもよい。
【００１０】
ＲＦＩＤ読取装置１は、筐体２の一面側に入口Ｉを有し、筐体２の一面側と反対側の反対面側に出口Ｏ（図２を参照）を有する。入口Ｉと出口Ｏは、それぞれ、人およびカートが出入りできる大きさの開口を有する。物品を庫出しする担当者は、倉庫の入口から物品が入ったカートを入口ＩからＲＦＩＤ読取装置１に搬入する。そして担当者は、ＲＦＩＤ読取装置１の内部（すなわちトンネル部１０）を通過して出口Ｏから外部に出る。無線タグがトンネル部１０を通過する間に、ＲＦＩＤ読取装置１は、カートに入っている物品の無線タグから発信された情報を受信する。受信した無線タグの情報は、別途設置された、倉庫に収納されている物品の搬出や倉庫への物品の搬入を管理するサーバ（図示せず）に送信される。サーバは、受信した無線タグの情報に基づいて、倉庫に収納されている物品の情報を更新する。
【００１１】
図１に示すように、ＲＦＩＤ読取装置１は、例えば直方体状（床面側を除く）の各辺を構成する枠状の枠体１２によって組み立てられている。枠体１２は、直方体の各辺以外の場所にも設けられている。枠体１２は、例えばアルミニウムのような高い剛性の金属で形成されている。枠体１２は、ＲＦＩＤ読取装置１の筐体２を構成する部材であって、側面や上面に複数本位置し、ＲＦＩＤ読取装置１を形作る筐体２の骨組みとして機能する。
【００１２】
枠体１２は、組み立て、解体が可能である。すなわち、例えば、枠体１２を構成する略「く」の字形状をしているアルミニウム製の各部品を相互にネジ止めして、枠体１２として組み立てることが可能である。
【００１３】
壁面１１は、ＲＦＩＤ読取装置１の筐体２を構成する部材であって、略長方形をしている。壁面１１は、電波遮蔽体の一例としての電波吸収体として機能する。壁面１１は、その４辺が枠体１２と接する大きさに形成されている。すなわち、壁面１１は、枠体１２で形成された四角の枠にちょうどはめ込まれる大きさである。枠体１２にはめ込まれた壁面１１は、隙間なく配置され筐体２を形成する。
【００１４】
壁面１１は、４辺の位置に磁石を備えている。壁面１１は、４辺において、磁石の吸着力によって枠体１２に設けられた位置決め部１２ｂ（図３を参照）と吸着し、枠体１２に取り付けることができる。また、壁面１１は、磁石の吸着力よりおおきな力で引っ張ると、枠体１２から取り外すことができる。壁面１１の枠体１２への取り付けについては、図３で説明する。
【００１５】
壁面１１は、枠体１２に４辺を取り付けることで、ＲＦＩＤ読取装置１にほぼ隙間なく取り付けることができる。図１の例では、ＲＦＩＤ読取装置１の天井面に４枚の壁面１１（壁面１１ａ、図２を参照）が隙間なく取り付けられている。また、ＲＦＩＤ読取装置１の両側面には、それぞれ６枚の壁面１１（壁面１１ｂ）が隙間なく取り付けられている。壁面１１ａと壁面１１ｂは、面が広い壁面である。また、ＲＦＩＤ読取装置１の入口面と出口（図２を参照）面には、それぞれ４枚の壁面１１（壁面１１ｃ）が隙間なく取り付けられている。壁面１１ｃは壁面１１ａや壁面１１ｂより面が狭い細い長方形状である。なお、壁面１１ａ、壁面１１ｂ、壁面１１ｃを総称して壁面１１という。また、ＲＦＩＤ読取装置１の床面Ｇ（図５を参照）側には、枠体１２は設けられておらず、壁面１１も取り付けられていない。
【００１６】
また、ＲＦＩＤ読取装置１の入口面には、ＲＦＩＤ読取装置１への入口Ｉが形成されている。ＲＦＩＤ読取装置１の出口面には、ＲＦＩＤ読取装置１からの出口Ｏが形成されている。すなわち、壁面１１ｃがない入口面側の空間が入口Ｉである。また、壁面１１ｃがない出口側の空間が出口Ｏである。入口Ｉは、人がカートを押してＲＦＩＤ読取装置１に入れる充分な広さである。出口Ｏは、人がカートを押してＲＦＩＤ読取装置１から出られる充分な広さである。
【００１７】
また、トンネル部１０は、壁面１１、および入口Ｉと出口Ｏで構成される。トンネル部１０は、ＲＦＩＤ読取装置１内に人がカートを押して通れる空間を有する。
【００１８】
このように隙間なく壁面１１が取り付けられたＲＦＩＤ読取装置１では、アンテナ１３（図２を参照）から発信した電波は、入口Ｉと出口Ｏ（図２を参照）から漏れ出す電波を除いて、ＲＦＩＤ読取装置１の天井側、および両側面側から外部に漏れ出すことはない。すなわち、ＲＦＩＤ読取装置１の天井側は、壁面１１ａが電波を吸収するため、天井側から外部に電波が漏れ出すことがない。また、ＲＦＩＤ読取装置１の両側面側は、壁面１１ｂが電波を吸収するため、側面側から外部に電波が漏れ出すことがない。さらに、ＲＦＩＤ読取装置１の入口Ｉ側および出口Ｏ側は、壁面１１ｃが電波を吸収するため、入口Ｉおよび出口Ｏから漏れ出す電波を減少させることができる。
【００１９】
また、ＲＦＩＤ読取装置１は、４隅の下部に、キャスター１６を収納するキャスター収納部１４を備える。また、ＲＦＩＤ読取装置１は、両側面部のキャスター収納部１４に対応した位置に、窓部１５を備える。窓部１５は、後述するキャスター１６（図８を参照）を出没させるための孔である。また、ＲＦＩＤ読取装置１は、窓部１５を塞ぐカバー１５ｂを備える。カバー１５ｂは、筐体２に対して着脱自在であり、カバー１５ｂを筐体２から取り外すと、窓部１５が露出する。
【００２０】
ここで、壁面１１ａ、壁面１１ｂ、壁面１１ｃについて説明する。壁面１１ａと壁面１１ｂは、共振タイプの電波吸収体である。共振タイプの電波吸収体は、例えばフェライトまたはフェライト復号材料で構成される。共振タイプの電波吸収体は、電波吸収体に直角に近い角度で入射される電波を多く吸収する。共振タイプの電波吸収体は、比較的安価である。そのため、共振タイプの電波吸収体は、ＲＦＩＤ読取装置１の天井部に取り付けられた壁面１１ａや側面に取り付けられた壁面１１ｂのように、面積が広い壁面に使用される。
【００２１】
壁面１１ｃは、誘電損失タイプの電波吸収体である。誘電損失タイプの電波吸収体は、カーボン粉などをゴム、発砲ウレタン、発砲ポリスチロールなどの誘電体に混合したものである。誘電損失タイプの電波吸収体は共振タイプの電波吸収体より電波吸収率が高く、かつ電波吸収体に斜めから入射される電波であってもよく吸収する。誘電損失タイプの電波吸収体は比較的高価である。そのため、入口Ｉや出口Ｏの周りに設けられた壁面１１ｃに使用される。アンテナ１３（図２を参照）から放射された電波は入口Ｉ付近および出口Ｏ付近において、壁面１１ｃに対して斜めに入射されるが、壁面１１ｃが誘電損失タイプの電波吸収体で構成されているため、入口Ｉや出口Ｏから漏れ出す電波を減少させることができる。
【００２２】
また、筐体２は、平面上のパネル３１を有する。パネル３１は、例えばアルミニウムのような剛性が高い金属の板で構成される。パネル３１は、枠体１２に外側から取りつけられる。パネル３１は、枠体１２に対し、例えばネジ止めで取り付けられる。パネル３１が取り付けられた筐体２は、パネル３１によって隙間なく覆われる。すなわち、パネル３１は、筐体２の外壁面を構成する。パネル３１が取り付けられた筐体２は、外側からパネル３１、内側から壁面１１で覆われ、パネル３１は壁面１１の外側に位置し、パネル３１と壁面１１は接触している。具体的には、筐体２の天井部は、パネル３１ａで覆われる。また、筐体２の側面部は、パネル３１ｂで覆われる。筐体２の入口Ｉと出口Ｏは、入口Ｉと出口Ｏを囲むように、パネル３１ｃで覆われる。
【００２３】
図２は、図１に示したＲＦＩＤ読取装置１の一部（図１の手前側）を切り欠いた図である。図２に示すように、筐体２の中央部（入口Ｉと出口Ｏから等距離の位置）に位置する主枠体１２ａには、アンテナ１３が設けられている。アンテナ１３は、面１３ａから電波を発信する。発信した電波は、トンネル部１０内を通過する無線タグが受信し、無線タグは受信した電波を起電力として無線タグ内に記憶している物品の情報を含む電波を発信する。アンテナ１３は、無線タグが発信した電波を受信して、物品の情報を収集する。アンテナ１３は、枠体１２に対してネジ止めして固定される。アンテナ１３は、枠体１２のうちの中央部に位置する主枠体１２ａに対してネジ止めされていない状態では上下方向に移動可能であり、アンテナ１３を枠体１２に固定する際、上下方向に位置を調整してからネジ止めして固定する。
【００２４】
図３は、壁面１１ｂの枠体１２への取り付けを示す図である。図３に示すように、枠体１２には、壁面１１ｂの取り付け位置を定める位置決め部１２ｂが取り付けられている。位置決め部１２ｂは、例えば鉄等の磁石が吸着する素材で構成される。壁面１１ｂの４辺の位置に取り付けられた磁石は、位置決め部１２ｂに対向する位置に取り付けられている。
【００２５】
壁面１１ｂは、位置決め部１２ｂが定める位置に位置決めする。すると、壁面１１ｂに取り付けられた磁石が位置決め部１２ｂと対向するので、磁石を位置決め部１２ｂに吸着させることで壁面１１ｂを枠体１２に取り付ける。このように取り付けることで、壁面１１ｂを隙間なく取り付けることができる。なお、壁面１１ａおよび壁面１１ｃも壁面１１ｂと同様にして枠体１２に取り付けられる。
【００２６】
次に、アンテナ１３から発信された電波について説明する。図４は、ＲＦＩＤ読取装置１を上から見た天井部を取り除いた説明図であって、アンテナ１３から発信した電波についての説明図である。図４において、アンテナ１３から発信する４方向への電波（電波Ｐ１、電波Ｐ２、電波Ｐ３、電波Ｐ４）を模式的に示す。
【００２７】
電波Ｐ１はカートＫに向けて発信された電波である。電波Ｐ１は、カートに入れられた物品に貼付された無線タグＭが受信する。無線タグＭは内部に記憶する物品の情報を含む電波をアンテナ１３に発信する。
【００２８】
電波Ｐ２は、壁面１１ｂに向けて発信された電波である。電波Ｐ２は、直角に近い角度で入射される電波であり、壁面１１ｂによって吸収され、外部には漏れ出さない。
【００２９】
電波Ｐ３は、壁面１１ｃに向けて発信された電波である。電波Ｐ３は、斜めから入射される電波であるが、壁面１１ｃによって吸収され、外部には漏れ出さない。
【００３０】
電波Ｐ４は、出口Ｏに向けて発信された電波である。電波Ｐ４は、各壁面１１では吸収されず、出口Ｏから外部に漏れ出す。
【００３１】
なお、アンテナ１３は、壁面１１ｂより筐体２の内部側に多少突出した位置に位置するように位置決めすることが望ましい。このようにすることにより、アンテナ１３から放射された直後の電波が隣接する壁面１１ｂによって吸収されることを防止できる。また、無線タブから発信された電波をアンテナ１３が受信する前に壁面１１ｂによって吸収されることを防止できる。
【００３２】
図５は、図４の図形を入口Ｉ方向から出口Ｏ方向に見た図である。図５に示すように、アンテナ１３は、筐体２の天井と側面の角部に１個ずつ（計２個）、また筐体２の床面と側面の角部に１個ずつ（計２個）、計４個取り付けられている。各アンテナ１３から放射された電波Ｄは、筐体２の中央部に向けて放射される。各アンテナ１３から放射された電波Ｄは、筐体２の略中央部を通過するカートＫに入れられた無線タグＭに届く。無線タグＭから発信された電波は、４個のアンテナ１３のいずれか、または複数のアンテナ１３が受信する。
【００３３】
次に、ＲＦＩＤ読取装置１の筐体２に設けられたキャスターについて説明する。図６は、キャスター１６が筐体２から下方に向けて突出した状態の部分拡大図である。図６に示すように、キャスター１６が筐体２から下方に向けて突出しているため、筐体２は、床面Ｇから距離ｄだけ上方に移動していて、上方に浮いている。キャスター１６は、回転可能であり、この状態で、ＲＦＩＤ読取装置１は、床面Ｇに沿って移動可能である。人等がＲＦＩＤ読取装置１を押すことで、キャスターが回転して、ＲＦＩＤ読取装置１を移動させることができる。なお、ＲＦＩＤ読取装置１が床面Ｇから浮いた状態では、アンテナ１３から放出された電波は筐体の下面から外部に漏れ出すため、ＲＦＩＤ読取装置１が使用されていない状態でＲＦＩＤ読取装置１を移動させる。
【００３４】
図７は、キャスター１６が筐体２に収納した状態の部分拡大図である。図７に示すように、キャスター１６が筐体２に収納しているため、筐体２は、床面Ｇと接している。ＲＦＩＤ読取装置１が床面Ｇと接した状態では、ＲＦＩＤ読取装置１は、床面Ｇに対して移動不可である。ＲＦＩＤ読取装置１が床面Ｇと接した状態では、アンテナ１３から放出された電波は筐体の下面から外部に漏れ出ない。ＲＦＩＤ読取装置１は、床面Ｇと接した状態で使用される。
【００３５】
図８は、キャスター１６が筐体２に対して出没する構成を示す図である。キャスター１６は、キャスター収納部１４に収納される。キャスター１６は、調整軸部１７とつまみ部１８を備えている。調整軸部１７は、軸にネジ切が形成されている。調整軸部１７が回転することで、調整軸部１７が上下方向に移動し、キャスター１６も上下方向に移動する。つまみ部１８は、調整軸部１７と一体的または調整軸部１７に対して固定的に形成されている。つまみ部１８は、例えば略六角柱に形成されている。
【００３６】
また、キャスター収納部１４には、固定部２０が形成されている。固定部２０は、キャスター収納部１４内において、接続部２１により、枠体１２に対して固定的に形成されている。また、固定部２０は、略中心部に円形のネジ孔が形成されている。調整軸部１７は固定部２０のネジ孔に勘合されている。そのため、調整軸部１７が回転すると、調整軸部１７は固定部２０に対して上下方向に移動する。
【００３７】
つまみ部１８を矢印Ｒ方向に回転させると、調整軸部１７は回転して下方（矢印Ｙ１方向）に移動する。調整軸部１７が下方に移動すると、キャスター１６は下方に移動して筐体２から下方に突出する。キャスター１６が下方に突出すると筐体２は上方に持ち上がる。
【００３８】
つまみ部１８を矢印Ｌ方向に回転させると、調整軸部１７は回転して上方（矢印Ｙ２方向）に移動する。調整軸部１７が上方に移動すると、キャスター１６は上方に移動して筐体２のキャスター収納部１４に収納される。キャスター１６がキャスター収納部１４に収納されると筐体２は下方に下がり床面Ｇと接触する。
【００３９】
キャスター収納部１４に収納されているキャスター１６を筐体２の下方に突出させるには、カバー１５ｂを取り外し、例えばスパナを窓部１５からキャスター収納部１４内に差し込んでつまみ部１８に合わせる。そしてスパナのつまみ部１８を中心に回動させることによってつまみ部１８を矢印Ｒ方向に回転させる。すると、キャスター収納部１４に収納されていたキャスター１６は下方に移動して、筐体２から下方に突出する。
【００４０】
４隅にあるキャスター１６をすべて筐体２から下方に突出させると、筐体２（すなわちＲＦＩＤ読取装置１）は、床面Ｇから上方に浮く。この状態でＲＦＩＤ読取装置１を移動させることができる。
【００４１】
また、下方に突出しているキャスター１６をキャスター収納部１４に収納させるには、カバー１５ｂを取り外し、例えばスパナを窓部１５からキャスター収納部１４内に差し込んでつまみ部１８に合わせる。そしてスパナのつまみ部１８を中心に回動させることによってつまみ部１８を矢印Ｌ方向に回転させると、突出していたキャスター１６は、キャスター収納部１４に収納される。
【００４２】
４隅にあるキャスター１６をすべてキャスター収納部１４に収納すると、上方に浮いていた筐体２（すなわちＲＦＩＤ読取装置１）は、床面Ｇと接する。この状態では、アンテナ１３から放射された電波は、筐体２と床面Ｇとの間から漏れることはない。
【００４３】
このような実施形態によれば、壁面１１は、枠体１２に対して磁石によって取り付けることができる。そのため、ＲＦＩＤ読取装置１を組立てる場合、枠体１２に対して容易に壁面を取り付けることができる。また、壁面１１は、磁石によって枠体１２から取り外すことができる。そのため、ＲＦＩＤ読取装置１を解体する場合に、枠体１２から容易に壁面を取り外すことができる。
【００４４】
また、実施形態によれば、壁面は電波吸収体で構成されるため、アンテナ１３から放射された電波は、壁面１１によって吸収される。そのため、電波が、入口Ｉと出口Ｏから漏れ出す電波以外に、ＲＦＩＤ読取装置１から外部に漏れだすことがない。そのため外部に位置する無線タグを誤って読む危険性が低い。
【００４５】
また、実施形態によれば、天井を構成する壁面１１ａと側面を構成する壁面１１ｂは、共振タイプの電波吸収体で構成されている。そのため、ＲＦＩＤ読取装置１を比較的安価とすることができる。
【００４６】
また、実施形態によれば、入口Ｉと出口Ｏ付近には、誘電損失タイプの電波吸収率が高い電波吸収体を取り付けた。そのため、入口Ｉと出口Ｏから漏れ出す電波を減少させることができる。
【００４７】
また、実施形態によれば、筐体の２の下部４隅に、出没可能なキャスター１６を設けた。そのため、キャスター１６を突出させて巨大なＲＦＩＤ読取装置１を移動させることができるとともに、ＲＦＩＤ読取装置１の稼働時は、キャスター１６を収納させることで、ＲＦＩＤ読取装置１の下部から電波が漏れ出すことを防止することができる。
【００４８】
以上、本発明の実施形態および変形例を説明したが、この実施形態および変形例は、例として提示したものであり、発明の範囲を限定することは意図していない。この実施形態および変形例は、その他の様々な形態で実施されることが可能であり、発明の要旨を逸脱しない範囲で、種々の省略、置き換え、変更、組み合わせを行うことができる。この実施形態および変形例は、発明の範囲や要旨に含まれるとともに、特許請求の範囲に記載された発明とその均等の範囲に含まれる。
【００４９】
例えば実施形態および変形例では、壁面１１に磁石を取り付け、枠体１２に磁石を吸着する金属を設けた。しかしながら、これに限らず、枠体１２に磁石を取り付けて、壁面１１に磁石を吸着する金属を設けるようにしてもよい。また、壁面１１に磁石を取り付け、枠体１２自体を、磁石を吸着する金属で形成するようにしてもよい。
【００５０】
また、壁面１１は、電波遮蔽体の一例として電波吸収体で構成するようにした。しかしながら、これに限らず、壁面１１は、電波遮蔽体として、例えばＥＢＧ（Electromagnetic  Band  Gap）構造の電波を打ち消す機能を有する素材で形成してもよい。すなわち、電波遮蔽体は、アンテナ１３から放射された電波を外部に漏れ出ないように遮蔽する素材であればよい。
【００５１】
また、実施形態では、壁面１１ａと壁面１１ｂを共振タイプの電波吸収体で構成し、壁面１１ｃを誘電損失タイプの電波吸収体で構成した。しかしながら、これに限らず、例えばすべての壁面を共振タイプの電波吸収体または誘電損失タイプの電波吸収体で構成してもよい。また、適宜共振タイプの電波吸収体と誘電損失タイプの電波吸収体とを混合させて構成してもよい。
【００５２】
また、実施形態では、すべての壁面１１を電波吸収体で構成した。しかしながら、一部の壁面１１を電波吸収体で構成するようにしてもよい。たとえば、特に電波が漏れ得やすい位置の壁面１１を電波吸収体で構成するようにしてもよい。
【符号の説明】
【００５３】
１      ＲＦＩＤ読取装置
２      筐体
４      下部
１０    トンネル部
１１    壁面
１２    枠体
１２ｂ  位置決め部
１３    アンテナ
１４    キャスター収納部
１５    窓部
１６    キャスター
２０    固定部
２１    接続部
３１    パネル
Ｄ      電波
Ｇ      床面
Ｉ      入口
Ｋ      カート
Ｏ      出口
【先行技術文献】
【特許文献】
【００５４】
【特許文献１】特開２０１８−４５３１７号公報
【図１】
2020064569.tif 000003
【図２】
2020064569.tif 000004
【図３】
2020064569.tif 000005
【図４】
2020064569.tif 000006
【図５】
2020064569.tif 000007
【図６】
2020064569.tif 000008
【図７】
2020064569.tif 000009
【図８】
2020064569.tif 000010